Podtech/llm-jp-corpus-v4-ja_patent huggingface dataset:
(57)【要約】［課題］ジョギング、ウオーキングなど軽いスポーツの時でも、携帯電話をスムーズに取り出せるように安全でじゃまにならないスポーツアームポケットとして提供する。［解決手段］上腕部等に装着調整するためのベルト部と、携帯電話等を収納するための伸縮性材料から成るポケット構成部とが縫着により一体化されており、ベルト部分の環状部以外はすべて面ファスナーの雌雄の関係で構成されていることを特徴とする。［選択図］図１【実用新案登録請求の範囲】
【請求項１】
上腕部等に装着調整するためのベルト部と、携帯電話等を収納するための伸縮性材料から成るポケット構成部とが縫着により一体化されており、ベルト部分の環状部以外はすべて面ファスナーの雌雄の関係で構成されている事を特徴とするスポーツアームポケット。
【請求項２】
面ファスナーの接面部分に数本の溝幅を配することにより、接着力を調整した請求項１記載のスポーツアームポケット
【請求項３】
面ファスナーの雌雄関係である雌ファスナー部を、網目状（メッシュ）にして通気性を持たせた事を特徴とした請求項１記載のスポーツアームポケット。
【考案の詳細な説明】
【技術分野】
【０００１】本考案はジョギングやウオーキングなどを行う際でも、携帯電話等を上腕部に安全且つスムーズに収納できるスポーツアームポケットに関する。
［背景技術］【０００２】上腕部等に装着するためのケースに関しては、いくつかの提案がなされている。例えば特開２００２−１９４６１０号広報にはリング状バンドの伸縮性を利用した携帯電話装着用バンドが記載され、実用新案登録３０９７５６９号広報ではバンドと収納ポシェットとを組み合わせたポシェットホルダーが記載されている。
［考案の開示］
［考案が解決しようとする課題］【０００３】しかし特開２００２−１９４６１０号広報に記載の携帯電話装着用バンドは、リング状バンドの伸縮性のみを利用してズレ防止とするため装着部の圧迫を調整するには至らず、さらにリング状バンドの内側にポケット部を設けたことで更なる負担を装着部に負うこととなる。【０００４】また、実用新案登録３０９７５６９号広報ではバンド部とポシェット部が組み合わせ状態になっている。そのためポシェット部の内部サイズが固定され、携帯電話のサイズによってはカタカタ揺れたり、入らなければポシェット部分の取り替えが必要となる。またバンド部ではサイズ調整によってできる弛緩部が、内側接触面にできてしまうためスムーズな装着とは言い難い。
［課題を解決するための手段］【０００５】ジョギングやウオーキングなどの際でも携帯電話を必要とする状況を鑑み、運動の割には比較的振動が少ない上腕部に着目した。まずベルト部とポケット構成部とを一体化させ、環状部以外のベルト部分はすべて面ファスナーの雌雄の関係で構成することで装着の簡素化、軽量化、収納物の安全性とフィット感を得られることを見いだし、本考案に至った。【０００６】即ち、ベルト部においては環状部以外のベルト部をすべて面ファスナーで構成することで、装着のサイズ調整は片手で簡単且つ安全に行うことができ、さらに本考案請求項２に示した面ファスナーの接面部分に数本の溝幅を配し、強すぎる接着力を調整することで、より簡単且つ安全に行えるようにする。【０００７】ポケット部はベルト部と一体化させることにより、軽量且つ装着時のフィット感を得られることとなる。またポケット構成部材に伸縮性材料を使用することにより装着時に自然な圧力を受け、ポケット部内にある収納物の振動を抑えることになり上腕部への緩衝効果も得られる。なおポケット部内には潤滑布材を配する事で収納および取り出しをスムーズに行うことができる。
［考案の効果］【０００８】本考案のスポーツアームポケットは装着も簡単であり、ベルト部とポケット構成部とを一体化しているため軽量コンパクトである。またジョギングやウオーキングなどの時でも携帯電話などの収納物がポケット部内でカタカタと振動することもなく、ベルト調整も簡単に行え安全性とフィット感を得ることができる。且つ携帯電話のバイブレーションの振動を上腕部で感知することができ、ジョギングやウオーキング以外でも広く利用できる。
［考案を実施するための最良の形態］【０００９】本考案は、上腕部にフィットした状態で携帯電話等を安全且つ簡単に装着できるように、ベルト部とポケット構成部を縫着により一体化し、ベルト部はすべて面ファスナーの雌雄の関係で構成されており、一つの環状部材以外は柔軟素材で構成されていることを特徴とするものである。【００１０】サイズ調整はベルト部が環状部以外すべて面ファスナーの雌雄の関係で構成されているために、ある程度のサイズの差異はカバーすることができ、さらにベルト部の長さ次第でより多くのサイズをカバーすることができる。【００１１】本考案において請求項３に係る考案は、ベルト部を網目状（メッシュ）にすることで通気性を持たせる事であるが、ポケット構成部においても収納物を隠す必要がなければ構成材料を網目状にすることも可能となる。【００１２】ポケット構成部には携帯電話等の収納物をスムーズに出し入れできるように潤滑布材（滑りの良い化学繊維等）をポケット内部に配すが、ポケット構成部材の伸縮性を阻害しないために潤滑布材の上下のみを縫着する。【００１３】ポケット構成部には携帯電話等の落下予防の蓋を取り付けるが、スムーズな出し入れを行えるようにポケットに対して中心線上ではなく、図２でも分かるように斜め上方より取り付ける。
〔実施例１〕【００１４】本考案のスポーツアームポケットは、図１のようにベルト部を環状部に通し、面ファスナーの雌雄関係により固定されるものであるが、装着する場合には、あらかじめベルト部を環状部に通し、実際の装着サイズより大きめの輪にして仮固定しておき、装着部位まで本考案のスポーツアームポケットを移動させてから、必要に応じた強さで固定する。
〔実施例２〕【００１５】本考案のスポーツアームポケットは、ベルト部がすべて面ファスナーの雌雄の関係で構成されているので、ベルト部の長さによって小型、中型、大型など多彩なサイズをカバーできるだけではなく、上腕部以外への装着も可能となる。
【図面の簡単な説明】
【００１６】［図１］本考案のスポーツアームポケットの実施例を示す斜視図である。
［図２］本考案のスポーツアームポケットの正面図である。
［図３］本考案のスポーツアームポケットのベルト部が網目状（メッシュ）の場合の正面図である。
【符号の説明】
【００１７】１  面ファスナーの雄
２  面ファスナーの雌
３  ポケット部
４  落下防止蓋
５  環状部材
６  潤滑布材
【図１】
0003104296.tif 000002
【図２】
0003104296.tif 000003
【図３】
0003104296.tif 000004
(57)【要約】      （修正有）【課題】衣類についた糸くずやゴミを取り除くために携帯しやすいゴミ取りシートを提供することを目的とする。【解決手段】本考案は、方形に形成されたゴミ取りシートを、ポストイット（登録商標）のように一側端部に剥離可能な粘着面を設け複数枚の当該ゴミ取りシートを積層させたゴミ取りシートの束である。束を構成するゴミ取りシートは、方形に形成され、本体としての基紙と剥離材としての剥離紙から構成される。基紙１は片面に粘着材が塗布された粘着面を形成し、裏面は剥離作用のある非粘着面からなる。剥離紙２は基紙より１ｃｍ程度長さを短くし、基紙の粘着面が１ｃｍ程度露出する。剥離紙は剥がしやすいように一側端部に突起をつける。【選択図】図１
0003104300.tif 000002
【実用新案登録請求の範囲】
【請求項１】
方形に形成され、片面に粘着材が塗布された粘着面を表面とし、裏面は剥離作用のある非粘着面からなる基紙を本体とし、前記シート本体の粘着面に貼着された剥離材からなり、剥離材としての剥離紙の一側端部に突起をつけたゴミ取りシート
【請求項２】
請求項１のゴミ取りシートにおいて、基紙粘着面に貼着された剥離紙を基紙より長さを１ｃｍ程度短くし、基紙の粘着面が１ｃｍ程度露出するよう形成し、一側端部に剥離可能な粘着面を設け、ポストイット（登録商標）のように、複数枚の当該ゴミ取りシートを積層させたゴミ取りシートの束
【考案の詳細な説明】
【技術分野】
【０００１】    本考案は携帯に便利な衣服用のゴミ取りシートに関するものである。
【背景技術】
【０００２】    従来、携帯に便利な粘着性のゴミ取りシートは提案されている。これらの利用法としては外出先で衣類についた糸くず、ゴミ等を簡便にとることができる。
【考案の開示】
【考案が解決しようとする課題】
【０００３】    しかしながら、従来のゴミ取りシートは手を入れるところがついていたり、一枚のシートに粘着部分と不粘着部分を作るというものであり、銀行等の粗品として配られることが多く、ポケットテイッシュの様に一般的に普及していない。【０００４】    本考案は、ポケットテイッシュの様に簡便に使えるゴミ取りシートを提供することが目的である。
【考案を解決するための手段】
【０００５】    上記課題を解決する手段として本考案は、方形に形成されたゴミ取りシートを、ポストイット（登録商標）のように一側端部に剥離可能な粘着面を設け複数枚の当該ゴミ取りシートを積層させたゴミ取りシートの束である。
【０００６】    束を構成するゴミ取りシートは、方形に形成され、本体としての基紙と剥離材としての剥離紙から構成される。基紙は片面に粘着材が塗布された粘着面を形成し、裏面は剥離作用のある非粘着面からなる。剥離紙は基紙より１ｃｍ程度長さを短くし、基紙の粘着面が１ｃｍ程度露出する。剥離紙は剥がしやすいように一側端部に突起をつける。
【考案の効果】
【０００７】    本考案のゴミ取りシートはポケットテイッシュのように携帯に便利であり、積層した束より一枚ずつ剥がし、簡便に使うことができる。また、剥離シートの突起部分を持って剥がすことにより基紙より簡単に剥がし使用することができる。
【考案を実施するための最良の形態】
【０００８】    方形に形成されたゴミ取りシートを、複数枚積層し、ポストイット（登録商標）様に束に形成する。基紙の露出している１ｃｍ程度の表面粘着面と剥離作用のある裏面を積層することにより形成する。、
【実施例】
【０００９】    シート本体としての基紙は携帯しやすい大きさ、例えば長さ１０ｃｍ、幅が６ｃｍ程度の大きさに形成される。基紙の表面は粘着材が塗布された粘着面を形成し、裏面は剥離作用のある非粘着面である。粘着面には剥離材としての剥離紙が貼着されている。この剥離紙は基紙より長さを１ｃｍ程度短くし、基紙の粘着面が１ｃｍ程度露出するよう形成する。剥離紙は剥がしやすいように一側端部が突起している。剥離紙を剥がすと基紙の粘着面が露出する。【００１０】    前記ゴミ取りシートを複数枚積層し、ポストイット（登録商標）様に束に形成する。基紙の露出している１ｃｍ程度の表面粘着面と剥離作用のある裏面を積層することにより形成する。最下シートに剥離可能な台紙を添付することにより、最下シートの露出した粘着面を保護する。このままでも携帯しやすいが、図示しない袋に入れて保管、販売してもよい。
【図面の簡単な説明】
【００１１】
【図１】  本考案の実施例であるゴミ取りシートを積層させ束にした概略斜視図
【図２】  本考案のゴミ取りシートの概略斜視図
【符号の説明】
【００１２】  １  基紙裏面
２  剥離可能な接着部分
３  剥離可能な台紙
４  基紙粘着面
５  剥離シート
６  突起部分
【図１】
0003104300.tif 000003
【図２】
0003104300.tif 000004
(57)【要約】【課題】座板部のみを取り替えることができ修理費用を低減させることができるいすを提供する。【解決手段】座板部２０と背もたれ部３０を有するいすにおいて、前記座板部２０が、基板部２１と前記基板部に対して着脱自在に取り付けられた座クッション部２５よりなり、前記基板部２１に対して前記座クッション部２５が面ファスナーによって取り付けられている。このいすがパチンコ遊技機６０又はスロットマシン遊技機の遊技用いす１０Ａであって前記基板部２１の右側から右側アームレスト部５０が設けられている。【選択図】図６
0003104263.tif 000002
【実用新案登録請求の範囲】
【請求項１】
座板部と背もたれ部を有するいすにおいて、
前記座板部が、基板部と前記基板部に対して着脱自在に取り付けられた座クッション部よりなることを特徴とするいす。
【請求項２】
前記基板部に対して前記座クッション部が面ファスナーによって取り付けられている請求項１に記載のいす。
【請求項３】
前記いすがパチンコ遊技機又はスロットマシン遊技機の遊技用いすである請求項１又は２に記載のいす。
【請求項４】
前記基板部の右側から右側アームレスト部が設けられている請求項３に記載のいす。
【考案の詳細な説明】
【技術分野】
【０００１】
この考案は座板部と背もたれ部を有するいすに関する。
【背景技術】
【０００２】
一般に、いすは座板部と背もたれ部とからなる。多くのいすは座板部と背もたれ部が一体に形成されている。このいすの座板部は人が座ったり立ったりする動きを繰り返すことにより背もたれ部に比べて傷みやすくかつ汚れやすい。
【０００３】
しかしながら、多くのいすは、座板部と背もたれ部が一体に形成されていることから座板部のみを取り替えることができず、座板部のみが傷んだり汚れたりしたときはいす全体を取り替えなければならなかった。そのためいすの修理費用が高価になってしまうという問題があった。
【考案の開示】
【考案が解決しようとする課題】
【０００４】
この考案は、このような状況に鑑み提案されたものであって、座板部のみを取り替えることができ修理費用を低減させることができるいすを提供することを目的とする。
【課題を解決するための手段】
【０００５】
すなわち、請求項１の考案は、座板部と背もたれ部を有するいすにおいて、前記座板部が、基板部と前記基板部に対して着脱自在に取り付けられた座クッション部よりなることを特徴とするいすに係る。
【０００６】
請求項２の考案は、請求項１において、前記基板部に対して前記座クッション部が面ファスナーによって取り付けられているいすに係る。
【０００７】
請求項３の考案は、請求項１又は２において、前記いすがパチンコ遊技機又はスロットマシン遊技機の遊技用いすに係る。
【０００８】
請求項４の考案は、請求項３において、前記基板部の右側から右側アームレスト部が設けられているいすに係る。
【考案の効果】
【０００９】
請求項１の考案に係るいすによれば、座板部と背もたれ部を有するいすにおいて、前記座板部が、基板部と前記基板部に対して着脱自在に取り付けられた座クッション部よりなることから、座板部（座クッション部）のみを取り替えることができ修理費用を低減させることができる
【００１０】
請求項２の考案によれば、請求項１において、前記基板部に対して前記座クッション部が面ファスナーによって取り付けられていることから、座クッション部を基板部に対して容易に着脱して取り替えることができる。
【００１１】
請求項３の考案によれば、請求項１又は２において、前記いすがパチンコ遊技機又はスロットマシン遊技機の遊技用いすであることから、座クッション部を遊技店の模様替えや開催するイベントに合わせて取り替えることができる。
【００１２】
請求項４の考案によれば、請求項３において、前記基板部の右側から右側アームレスト部が設けられていることから、遊技者が肘を右側アームレスト部に掛けながら快適に遊技を楽しむことができる。
【考案を実施するための最良の形態】
【００１３】
以下添付の図面に従ってこの考案を詳細に説明する。図１はこの考案の一実施例を示すいすの正面図、図２は図１のＡ方向から見たいすの側面図、図３は座クッション部を基板部から取り外した状態を示すいすの正面図、図４は図３のＢ方向から見たいすの側面図、図５は右側アームレスト部が設けられた遊技用いすの正面図、図６は同遊技用いすの側面図である。
【００１４】
この考案の実施例に係るいす１０は、図１及び図２に図示するように、座板部２０と背もたれ部３０を有し、この座板部２０が基板部２１と座クッション部２５よりなるものである。図中の符号１１は回転装置、１２は支持構造体である。
【００１５】
座クッション部２５は基板部２１に対して着脱自在に取り付けられる。座クッション部２５が傷んだり汚れたりしたときは、いす１０全体を取り替えることなく座クッション部２５のみを取り替えて修理費用を低減させることができる。
【００１６】
この座クッション部２５は、図３及び図４に図示し請求項２の考案として規定したように、基板部２１に対して面ファスナー４０によって取り付けられる。図示の実施例では、面ファスナー４０Ａ，４０Ｂが基板部２１の上面と座クッション部２５の下面に相対して設けられている。これによって、座クッション部２５を基板部２１に対して容易に着脱して取り替えることができる。
【００１７】
さらに、請求項３の考案として規定したように、いす１０をパチンコ遊技機又はスロットマシン遊技機の遊技用いすとすることができる。いす１０を遊技用いすとすることによって、座クッション部２５を遊技店の模様替えに合わせて取り替えることができる。この座クッション部２５は遊技店が開催するイベントに合わせて取り替えることもできる。例えば、遊技の当たり確率を高確率に設定した遊技島のいすを、赤色の座クッション部２５に取り替えて遊技者に目立つようにすることができる。
【００１８】
遊技用いす１０Ａは、図５及び図６に図示し請求項４の考案として規定したように、基板部２１の右側から右側アームレスト部５０が設けられている。これによって、遊技者は肘を右側アームレスト部５０に掛けながらパチンコ遊技機６０のハンドルＨを操作して快適に遊技を楽しむことができる。遊技者は、同じようにしてスロットマシン遊技機のボタン等を操作することによって快適に遊技を楽しむこともできる。
【図面の簡単な説明】
【００１９】
【図１】この考案の一実施例を示すいすの正面図である。
【図２】図１のＡ方向から見たいすの側面図である。
【図３】座クッション部を基板部から取り外した状態を示すいすの正面図である。
【図４】図３のＢ方向から見たいすの側面図である。
【図５】右側アームレスト部が設けられた遊技用いすの正面図である。
【図６】同遊技用いすの側面図である。
【符号の説明】
【００２０】
１０  いす
１０Ａ  遊技用いす
２０  座板部
２１  基板部
２５  座クッション部
３０  背もたれ部
４０  面ファスナー
５０  右側アームレスト部
６０  パチンコ遊技機
【図１】
0003104263.tif 000003
【図２】
0003104263.tif 000004
【図３】
0003104263.tif 000005
【図４】
0003104263.tif 000006
【図５】
0003104263.tif 000007
【図６】
0003104263.tif 000008
(57)【要約】      （修正有）【課題】感覚的、簡易的データではなく、正確な音響データの作成に基づく、音響拡散コーンの形状、材質、大きさ等の理想的な音響効果を得る。【解決手段】クラシックギター等楽器の音響効果を上げる方法の開発一手法としてメインサウンドホール内下部に低発泡塩ビ板（又はアクリル板、プラスチック板等曲げ加工容易な薄板）反響コーン及び表面板ブリッジ近くにサブホールの新設により音の拡大を図る新しいギターの開発。【選択図】図１
0003104202.tif 000002
【実用新案登録請求の範囲】
【請求項１】
本物品は、クラシックギター等一般のメインサウンドホール内下部に音の変化、増大を目的としてギターホール内に低発泡塩ビ板三角錐型のコーンを取付け、音の反射拡大を図るものであり、新規製作品等にも又既存のギターにも設置は容易、可能と考えます。
又市販のクラシックギター等はサウンドホールはメインホール一個が常識であるが、サブサウンドホールを２カ所（基本的大きさ＝直径4ｃｍ内外の円又は半分位の面積）新たに追加設置する事により、音の拡散効果と機能的活用効果を開拓し、有益なサブホールとして、新しいギターの開発、発展に向け、部分的機能、意匠改造により、改造新型ギターとしてイメージアップとその将来性の向上が望まれる。
尚三角錐コーンの表面仕上げはカラー塗装又はカラーシート等にてカラフルに仕上げ斬新さをイメージ、新鮮さをアピールする。
【考案の詳細な説明】
【技術分野】
【０００１】
ギターのメインサウンドホール内下部に低発泡塩ビ板（又はアクリル板等）三角錐型のコーンを取り付ける事によりギター表板より響く弦音をギターケース全体に拡散する事によりより大きな音としてメイン及び新設おサブサウンドホールより響き出し音の増大、拡大を図り新しいギターの開発を目指している。
【背景技術】
【０００２】
ギターの音のメカニズムは正確には解明されておらず、大きな要素として、表面板の性能（補強材や材料）に左右されることが技術的に判断され、色々な形、工法で製造され今日に至っており、今後も未完の楽器として開発が進むと考えられるが、現段階で表面板の響きをいかに楽器全体に響かせるかの工夫がポイントと考える。
【特許文献１】なし
【考案の開示】
【考案が解決しようとする課題】
【０００３】
音響拡散コーンの形状、材質、大きさ等の理想形状。
【課題を解決するための手段】
【０００４】
様々なモデルを製作し音響実験の結果を分析して開発を図る。
【考案の効果】
【０００５】
クラシックギターやフォークギター等の音楽への関心と楽器性能向上、発展に寄与。
【考案を実施するための最良の形態】
【０００６】
大手楽器メーカーの支援と音楽関係団体の意欲的協力、ＰＲが不可欠。
【産業上の利用可能性】
【０００７】
類似弦楽器の再発見
【図面の簡単な説明】
【０００８】
【図１】三角錐型のコーンの形状、取り付け要領及びサブサウンドホールの形状、設置例を示した概略図である。（参考例）
【図１】
0003104202.tif 000003
【手続補正書】
【提出日】平成16年5月19日(2004.5.19)
【手続補正１】
【補正対象書類名】実用新案登録請求の範囲
【補正対象項目名】請求項１
【補正方法】変更
【補正の内容】
【請求項１】
本物品は、クラシックギター等一般のメインサウンドホール内下部に音の変化、増大を目的として
（１）ギターホール内に三角錐型のコーンを取付け、音の反射拡大を図るものであり、新規製作品等にも又既存のギターにも設置が可能である。
尚三角錐コーンの表面仕上げはカラー塗装又はカラーシート等にて仕上げ斬新性を図る。
（２）サブサウンドホールを２カ所（大きさ＝直径4ｃｍ内外の円又は半分位の面積）新たに追加設置する事により、音の増強拡散効果の補助増大を図る。
以上からなるギター音響効果増強コーンシステムである。
(57)【要約】【課題】  全体が極めて軽くかつ空気を抜くと小さく扁平状になり、さらに乳幼児でも簡単に遊ぶことが出来る縫いぐるみ玩具を目的とする。【解決手段】  頭部２の下部に取手３を一体的に取付けた空気で膨らませることが出来るビーチボール４の外側にキャラクターを表示した布６を被覆し、該ビーチボール４の頭部２内に鈴７を移動自在に封入し、前記取手３と頭部２との境界膜８の一部に笛９を取付けて構成した縫いぐるみ玩具１の構造である。【選択図】  図１
0003104212.tif 000002
【実用新案登録請求の範囲】
【請求項１】
頭部の下部に手で握ることが出来る取手を一体的に連設し、かつ全体を空気で膨らませることが出来るビーチボールの外側を布で被覆し、該ビーチボールの所定位置に空気を出し入れし得る空気送排口を取付け、さらに該ビーチボール内に鈴等の鳴り物を封入して構成したことを特徴とした縫いぐるみ玩具。
【請求項２】
前記ビーチボールの頭部と取手との境界膜の一部に手で握ると音を出す笛を取付けて構成したことを特徴とした請求項１の縫いぐるみ玩具。
【考案の詳細な説明】
【技術分野】
【０００１】
本考案は、空気を入れることによって膨らませることが出来る所謂ビーチボールの外側に布を被覆した縫いぐるみ式の玩具に係り、特に頭部の下部に取手を一体的に取付けると共に取手をもって振ると音を出すガラガラ状の縫いぐるみ玩具に関するものである。
【背景技術】
【０００２】
従来のこの種のガラガラ玩具は、セルロイド，プラスチック等で人形上の頭部の下部に取手を一体的に取付け、さらに該頭部の内部に鈴を封入し、取手を持って振るとガラガラ音の出る所謂ガラガラ玩具が、幼児の玩具の一つとして広く普及している。
【０００３】
一方で、縫いぐるみ玩具としは、例えば本件考案者が開発した実用新案登録第3070192号公報（特許文献１参照）が知られている。この文献に記載された考案は、空気を入れて膨らますことが出来るビーチボールの外側にキャラクターを表示した布を被覆し、かつビニールの中に鈴を封入し、さらにビーチボールにゴム紐を取付けてビーチボールを吊下げることが出来るように構成した縫いぐるみ玩具である。この玩具は、ゴム紐の上端を持ってビーチボールを上下動させることによって、前記鈴が鳴るようにした玩具である。
【特許文献１】実用新案登録第3070192号公報。
【考案の開示】
【考案が解決しようとする課題】
【０００４】
前述の従来のガラガラ玩具は、セルロイド等で成形されているので、小さくすることが出来ないために、輸送する時、倉庫で保管する時等に於いて嵩張り、コスト高になる問題があった。また、全体として重くなるので、乳幼児には操作が容易でない等の問題があった。
【０００５】
また、後者の縫いぐるみ玩具は、ビーチボールを主体としているので、前者のように輸送コストや倉庫コストが高価になる問題はないが、起立することが出来る幼児しか使用出来ないので、起立することが困難な年少の乳幼児の使用は困難である問題があった。また、前者のガラガラ玩具も縫いぐるみ玩具も、使用時には鈴の音しかしないので、幼児にとっても物足りない等の問題があった。
【課題を解決するための手段】
【０００６】
本考案に係る縫いぐるみ玩具は、前述の従来の多くの問題点に鑑み開発された全く新しい考案であって、その第１考案の要旨は、頭部の下部に手で握ることが出来る取手を一体的に連設し、かつ全体を空気で膨らませることが出来るビーチボールの外側を布で被覆し、該ビーチボールの所定位置に空気を出し入れし得る空気送排口を取付け、さらに該ビーチボール内に鈴等の鳴り物を封入して構成したことを特徴とした縫いぐるみ玩具である。
【０００７】
前記第１考案に於いては、ビーチボールに布を被覆するようにしたので、空気を入れて膨らませ、かつ空気を抜くことによって小さく扁平状にすることが出来る。また、全体を極めて軽くすることが出来る。さらに、下部に取手が付いているので、この取手を持って遊ぶことが出来る。
【０００８】
本考案に縫いぐるみ玩具の第２考案の要旨は、前記ビーチボールの頭部と取手との境界膜の一部に手で握ると音を出す笛を取付けて構成したことを特徴とした第１考案の縫いぐるみ玩具。
【０００９】
前記第２考案に於いては、ビーチボールの頭部と取手との境界膜の一部に手で握ると音を出す笛を取付けたので、前述のように取手を持って振ることによって、ビーチボール内に封入した鈴で音を出す外に、該取手を握ることによって、その一部に取付けられた笛で音を出すことも出来る。
【考案の効果】
【００１０】
本考案に係る縫いぐるみ玩具は、前述のように空気を抜くことによって小さく扁平状にすることが出来るので、輸送コストや保管コストを著しく安価にすることが出来る。また、全体が軽いので、乳幼児が寝たままで、下方の取手を握って簡単に使用することが出来る。さらに、取手の一部に笛を取付けた場合には、ビーチボール内に封入した鈴の外に、笛によって音を出すことも出来、二重に楽しむことが出来る。
【考案を実施するための最良の形態】
【００１１】
図により本考案に係る縫いぐるみ玩具の一実施例を具体的に説明すると、図１は本考案に係る縫いぐるみ玩具の縦断面図、図２は図１の縫いぐるみ玩具の外観図である。
【００１２】
図１及び図２に於いて、１は本考案に係る縫いぐるみ玩具であって、球形状の頭部２の下部に取手３を一体的に取付けて形成したビーチボール４が主体となって構成されている。このビーチボール４には、空気を入れたり出したりすることが出来る空気送排口５が取付けられており、この空気送排口５を介してビーチボール４を空気で膨らませたり、或は空気を抜いて扁平状に小さくすることが出来るように構成されている。
【００１３】
前記ビーチボール４には、マンガの主人公等のキャラクターを表示した布６が全体的に被覆されたおり、これによって空気で膨らませることが出来る縫いぐるみ玩具１が構成されている。
【００１４】
ビーチボール４の頭部２内には鈴７が移動自在に封入されている。ビーチボール４の取手３と頭部２との境界膜８の一部には笛９が取付けられている。この笛９は市販のものであって、取手３を少し強く握った場合には、ビーチボール４の取手３内の空気が笛９を通過して頭部２内に移動するので音を出すことが出来るように構成されている。
【００１５】
本考案に係る玩具は、幼児が取手を握って左右、前後、上下等に振ることによって、ビーチボール４内の鈴７を移動させて音を出して遊ぶことが出来る。また、取手３を少し強く握ることによって、笛９を作動させて音を出して遊ぶことが出来る。鈴７と笛９の両方を同時に鳴らすことが出来る。特に、年少の乳幼児等は寝たまま縫いぐるみ玩具１を振ったり、握ったりして遊ぶことが出来る。
【産業上の利用可能性】
【００１６】
前記実施例は、ガラガラ形式の縫いぐるみ玩具について説明したが、他の形式の縫いぐるみ玩具にも適用することが出来る。
【図面の簡単な説明】
【００１７】
【図１】本考案に係る縫いぐるみ玩具の縦断面図である。
【図２】図１の縫いぐるみ玩具の外観図である。
【符号の説明】
【００１８】
１    …縫いぐるみ玩具
２    …頭部
３    …取手
４    …ビーチボール
５    …空気送排口
６    …布
７    …鈴
８    …境界膜
９    …笛
【図１】
0003104212.tif 000003
【図２】
0003104212.tif 000004
(57)【要約】  【課題】天井・壁等の穴を塞ぐに十分な大きさ、すなわち穴より大きなプレートを簡単に穴に挿入して穴の修復をできるようにした補修プレート  【解決手段】円形の補修プレート１の中心に小孔２を開け、この小孔２から周縁まで切れ目３を入れて構成してあり、補修時には補修プレート１の切れ目３の両側辺を上下反対方向に開き、上側辺ｂをボードの穴5より回転させながら侵入させることで、穴の径の倍の大きさの補修プレートを穴裏に入れることができ、強度があり、仕上がりも綺麗で、なおかつ近くに再び穴開けが可能な補修プレートである【選択図】図１
0003104215.tif 000002
【実用新案登録請求の範囲】
【請求項１】
指掛け用の小孔を有し、この小孔から周縁まで切れ目が入れられてなる補修プレート
【請求項２】
小孔がプレートの中心に位置することを特徴とする請求項１に記載の補修プレート
【請求項３】
小孔が、プレートの中心を外れて位置することを特徴とする請求項１に記載の補修プレート
【請求項４】
切れ目が、直線あるいは曲線であることを特徴とする前記請求項の１に記載の補修プレート
【請求項５】
プレートが、円形であることを特徴とする前記請求項の１に記載の補修プレート
【請求項６】
プレートの少なくとも一方の面に滑り止め加工がされていることを特徴とする前記請求項の１に記載の補修プレート
【考案の詳細な説明】
【技術分野】
【０００１】
本考案は、天井、壁等に穴開けミスなどで開いている穴の補修、あるいは穴開け位置の変更をする際に使用する補修プレートに関するものである。
【背景技術】
【０００２】
照明器具、特に埋め込み式のダウンライトあるいは端部を突出させるブラケットなどを天井に取付ける際に、それらの器具の取付け用の穴を天井ボードに開けるが、その位置を間違えたり、開けた後に位置を変更したりする場合、不要となった取付け穴を埋める補修が必要となる。
従来、天井、壁のボードの穴の修復は、単にその穴を塞ぐように表側に補修ボードを当て、ビスあるいは接着剤で穴を塞いだり、あるいは穴に固形部材を埋め込み接着剤で固定している。
【０００３】
また、穴より天井裏に細い木材、金属材（軽量鉄骨下地材）等を入れて穴の径に渡し、この材料に補修ボードをビス止めしている。
なお、穴の近辺に天井裏、壁裏用の点検口が設けられている時は、この点検口から適切な補修が可能である。
【特許文献１】特開２００１−２９５２０７
【考案の開示】
【考案が解決しようとする課題】
【０００４】
点検口が存在しない場合の従来の穴の補修は、手間や熟練を要し、しかも仕上り強度が弱く、すぐ近くに再び穴開けをすることは困難で、希望する近接位置に穴開けができない欠点を有している。また、当て板をして補修する場合も、天井ボードと当て板との重なり部分に隙間が生じ不体裁であり、仕上げ用下地パテが必須である。しかし、パテは、仕上がり後にひび割れを生じやすく不体裁なものとなっている。
【課題を解決するための手段】
【０００５】
本考案は、穴を塞ぐに十分な大きさ、すなわち穴より大きなプレートを穴に挿入でき、簡単に穴の修復ができる補修プレートを提供するものである。
そのために、本考案は、望ましくは円形のプレートの中心に小さい孔を開け、この小孔から周縁まで直線あるいは曲線の切れ目を入れた。
【０００６】
このような構造のプレートにすることにより、プレートの切れ目の両側辺を上下反対方向に開いて開口させ、この上側辺を穴の中に回転させながら侵入させることを可能とし、穴より大きいプレートを穴の裏側に入れることができるようにした。これにより、化粧仕上げボードの取付けが簡単に行え、しかも強度を有し、仕上がりも綺麗で、なおかつ修復した孔に近接させて再び穴開けができるようにした。
【考案を実施するための最良の形態】
【０００７】
本考案を、図面に示す実施例に従って説明する。
円形の補修プレート１の中心部に小孔２を開け、この小孔２より周縁ａまで直線（図１ａ）あるいは曲線（図１ｂ）の切れ目３を入れてある。
補修プレートは、円形に限らず、用途によって楕円形、方形いかなる形状でもよい。
また、補修プレートの下面に、滑り止め加工をすると良い。滑り止め加工としてはエンボス加工、ローレット加工、布の貼着などが考えられる。
【０００８】
本考案は、このような構造であるから、プレート１の切れ目３の両側の辺を上下逆方向に開いて開口させ、その上側辺ｂの切れ目３の先端ｂ１を、穴５へ回転させながらを穴裏に侵入させ、図３に示すように穴５を裏より塞ぐように置く。
切れ目３は、中央の小孔２に連続していることにより開閉が楽に行え、そして小孔２が補修プレート１の中心にある場合は、補修プレート１の半径程の小さい穴５に入れることが出来る。
【０００９】
したっがって、小孔２の位置を補修プレートの中心Ｏを外れた位置に配すれば、切れ目３の残りの直径方向の長さｗは半径以下となるので、より小さいボードの穴にも侵入させることが可能となる。
また、切れ目の形状は、直線のみならず弧あるいは波曲線４であっても良い。
【００１０】
補修プレートで穴の裏をカバーした後、補修プレート１の孔２に指を挿入して保持し、廻りの天井等のボード６にビス７で固定する。そして穴５の位置に化粧仕上げ用ボード８をあてがいビス止めする。必要に応じて仕上げ用の下地パテを塗り補修が完了する。
また、補修プレートの下面に、滑り止め加工４をしてあれば指掛けした補修プレート１と天井ボード６とのずれが生じないようになりビス止め作業が容易となる。
【００１１】
このように本考案の切れ目を入れた補修プレート１を使用することにより、穴より大きなプレートを穴に入れることが可能となり、中央に設けてある小孔に指あるいは固定金具を等を挿入して補修プレートを固定しながらビス止め作業ができる、その後の化粧仕上げ作業も簡単に行え、修復作業が簡単にできるばかりか、強度ある修復が可能である。したがって、修復したボード穴に近接させ再度の穴開けもできることになる。
【図面の簡単な説明】
【００１２】
【図１】本考案補修プレートの実施例平面図
【図２】本考案補修プレートの天井穴への取り付け方を示す図
【図３】本考案補修プレートの取り付け断面図
【図４】補修完成状態を示す断面図
【符号の説明】
【００１３】
１    補修プレート
２    小孔
３    切れ目
４    波曲線
５    穴
６    ボード
７    ビス
８    化粧仕上げボード
【図１】
0003104215.tif 000003
【図２】
0003104215.tif 000004
【図３】
0003104215.tif 000005
【図４】
0003104215.tif 000006
(57)【要約】【課題】電気配線が不可能な場所にあっても自由設置、自動点灯でき、しかも風雨の耐久性に優れ、昼夜を通して観賞用、表札として利用できる庭園陶ライトを提供する。【解決手段】庭園陶磁器1の天井円形開口部1aより、ソーラーライト2を挿入、支柱2bを土に差し込み固定する。ソーラーライト2の蓄電部2aに昼間電気が蓄積され庭園陶磁器1の貫通形成3より夜間光を発する。【選択図】図1
0003104256.tif 000002
【実用新案登録請求の範囲】
【請求項１】
側面特定パターンを貫通形成した庭園陶磁器と、太陽エネルギーを得て蓄電するソーラーライトを組み合わせたことからなり、そのことにより簡易な自由設置、自動点灯、自動消灯ができ、昼夜を通して風情観賞を可能にした庭園陶ライト。
【考案の詳細な説明】
【技術分野】
【０００１】
本考案は、庭園陶磁器1とソーラーライト2を兼ね備えた庭園陶ライトに関するものである。
【背景技術】
【０００２】
本来、庭園陶磁器1およびソーラーライト2は、それぞれ単体での使用方法に留まり、庭園陶磁器1は、昼間風情を楽しむ観賞用。一方ソーラーライト2は、夜間光を得る使用器具にあった。
【考案の開示】
【考案が解決しようとする課題】
【０００３】
従来の庭園灯は、AC電源を組み入れ、明かりのみを重視した構造であり、またランニングコストを重視すればソーラーライト２単体での使用形態に留まっていた。庭園陶磁器１にAC電源を組み入れ庭園灯使用しているものもあるが、降雨時の漏電問題点を残しており、さらに電源スイッチのON,OFFの手間も課題として残されているのである。
【課題を解決するための手段】
【０００４】
そこで風情ある庭園陶磁器１とソーラーライト2双方の役割、特徴をプラス効果として引き出したのが、この組み合わせ考案にある。
【考案の効果】
【０００５】
したがって庭園陶磁器1とソーラーライト2の組み合わせは、昼間のみの庭園陶磁器1単体だけの観賞に終わらず、味気なさが残るプラスチック構造のソーラーランプ2も庭園陶磁器1本体に組み入れ隠すことができる効果がある。しかも夜間は昼間太陽エネルギーを得て蓄電されたソーラーライト2から発せられる光が庭園陶磁器1の貫通形成3された箇所を通して放射観賞できる楽しむ効果がある。さらに図2の正面図が示すように名称、名前を貫通形成3することにより昼夜共に看板、表札として利用できる一石三鳥の効果をもたらすものである。
【考案を実施するための最良の形態】
【０００６】
庭園陶磁器1とソーラーライト2との組み合わせは、双方の利点を引き出すために庭園陶磁器1の風情を妨げてもいけない。ソーラーライト2の蓄電も妨げてもいけない。したがって庭園陶磁器1の天井円形開口部1aと蓄電部2aが水平状態になるよう支柱2b先端を土に差し込みソーラーライト2をセットすることが最良である。さらに住宅事情の関係から必ずしも土を有する庭園があるとも限らない。そこでコンクリート、レンガの場所にあっては、底円形開口部1bの位置に適当な植木鉢を使用し土、砂土又は小石を詰め、天井円形開口部1aより挿入、設置後ソーラーライト2をセットすれば組み合わせが可能となる。さらにソーラーランプ2の高さ調整が必要となる場合は支柱2bのつなぎ目調整をおこなえば解決する。庭園陶ライトの電源は、ソーラーライト2の蓄電部2aで電気を蓄積、したがって日照環境で、点灯時間に違いができるため一日を通して日陰の少ない、日照時間の長い場所が最良である。
【実施例１】
【０００７】
図1は、本考案の実施例の断面図であって庭園陶磁器1とソーラーライト2を組み合わせ、貫通形成3した箇所より放射光を示したものである。
【実施例２】
【０００８】
図2は、庭園陶磁器1とソーラーライト2を組み合わせ、本体側面の内面から外面に向かって放射光が通るよう貫通形成3をした一実例正面図である。
【図面の簡単な説明】
【０００９】
【図１】本考案の実例を示す断面図である。
【図２】本考案の一実例を示す正面図である。
【符号の説明】
【００１０】
１     庭園陶磁器
１a    天井円形開口部
１b    底円形開口部
２     ソーラーライト本体
２a    蓄電部
２b    支柱
３     貫通形成
L      放射光
【図１】
0003104256.tif 000003
【図２】
0003104256.tif 000004
(57)【要約】      （修正有）【課題】岩場上の釣り場で、本考案の釣り竿立て器を設置することにより、釣竿の保護と釣り場環境を良くする。【解決手段】釣竿立て用パイプ１と、ピトン受け用パイプ２を並列に接合してピトン受け用パイプ２を、岩場に打ち込んだピトン５へ通して固定し、釣竿立て用パイプ１に、釣竿７を立て竿を保持するようにした。【選択図】図３
0003104251.tif 000002
【実用新案登録請求の範囲】
【請求項１】
釣竿が入る大きさの短いパイプと、ピトンの入る短いパイプを並行に接合したもので、ピトンを岩場の割れ目に打ちこみ、ピトン用パイプを通して立て釣竿用パイプに立てた釣竿に傷を付けず保持できる竿立て器。
【考案の詳細な説明】
【考案の詳細な説明】
【図面の簡単な説明】
【請求項１について】
【図１】
本考案の全体斜視図である。
【図２】
本考案の取り付け斜視図である。
【図３】
本考案の実例を示す斜視図である。
【図４】
釣竿立てパイプにピトンを収納した斜視図である。
【図５】
本考案の他の実施例を示す斜視図である。
【符号の説明】
１、釣竿立て用パイプ        ６、岩場
２、ピトン受け用パイプ      ７、釣竿
３、栓（固定）              ８、海面
４、栓（取りはずし可）      ９、玉網の柄（掬い網）
５、ピトン（固定用軸）
【産業上の利用分野】
【０００１】  この考案は、ピトン受け用パイプと竿立て用パイプ大小を、並行に接合し、釣竿用パイプに釣竿や玉網の柄を立てる器具である。
【背景技術】
【０００２】  従来は、長いピトンに竿受け器具を組み合わせ使用していた。物が大きく重い上、嵩張るため持ち運びに不便をもたらしていた。現在も多くの釣り人は、休憩する時、また魚を取り込んだ後等、岩場の上に釣竿を横向きに置くか、立て掛けているのが実情である。そのため釣竿を自分で踏みつけて折ったり、他の釣り人に踏まれ釣竿を折ったりすることもある。強風で倒されて傷がつき折れる。また波風の荒いときは、風で釣竿を海中へ吹きとばされ、それをあわてて拾おうとして転んで怪我をしたり、海に落ちるという事故も起こっている。
【考案が解決しようとする課題】
【０００３】  本考案は、従来の問題点を考慮して、釣竿立て器を軽量化、多目的化して携帯しやすく、かつ岩場に容易に設置することによって、物的、人的事故を防止し、釣り場の環境を良くするものである。
【問題を解決するための手段】
【０００４】  本考案は装置を携帯しやすく、容易に岩場で設置するために次のような手段を講じた。
（１）釣竿立て用パイプ（１）は持ち運びしやすく、釣竿が倒れない長さとした。
（２）釣竿パイプ（１）の中に、ピトン（５）を格納できるようにした。〔図４〕
（３）本考案の大小の釣り竿立て器を、ピトン（５）で組み合わせることで、釣竿と玉網の柄も立てられるようにした。〔図５〕
【作用】
【０００５】  本考案は、これを使用するにあたっては、岩場の割れ目に、ピトン（５）をハンマーで打ちこんで固定し、それにピトン受け用パイプ（２）を取り付けた〔図２〕あと、釣竿用パイプ（１）に釣竿を立てればよい。〔図３〕
【試作実施例】
【０００６】  なお、本考案の試作実施に当たっては、次のことを考慮した。
（１）パイプ（１）と（２）の接合部は上、中、下部のいずれでもよい。
（２）パイプ（１）と（２）の肉厚はプラスチック、カーボン系パイプで２ｍｍ以上、スチール、ステンレス、アルミ系パイプで１ｍｍ以上あれば、強度は十分である。
（３）パイプ（１）と（２）の接合は溶接が望ましいが、出来ない場合は、強力接着剤でも代用できる。
（４）栓（３）と（４）はゴム系、プラスチック系、木製、いずれも可能である。
（５）本考案、竿立てパイプ（１）より、少し直径が大きめの竿立て器を組み合わせることで玉網の柄も平行して立てられる。〔図５〕
（６）パイプ（２）は市販のピトン（５）との互換性を持たせてある。
（７）池、川、海釣りにもピトン（５）の長短で応用できる。
【考案の効果】
【０００７】  （１）釣り場への持ち運び時の軽量化ができた。
（２）竿、玉網を立てることで釣り場を多目的に使かうことができる。
（３）他釣り人とのトラブルと釣竿の折損事故が減少した。
（４）釣り場の環境を安全にすることで釣りが、楽しくできる。
【図１】
0003104251.tif 000003
【図２】
0003104251.tif 000004
【図３】
0003104251.tif 000005
【図４】
0003104251.tif 000006
【図５】
0003104251.tif 000007
(57)【要約】      （修正有）【課題】簡単なプラスチック成型品で、犬等の小動物の糞処理を確実に出来る物を提供する。【解決手段】簡単な合成樹脂で形成製作した本体Ａと、同じ材質で製作した中枠Ｂに、袋状の袋Ｃを本体Ａの内側にはめ込んだ中枠Ｂの隙間Ｅに挟み込み、安易に脱着可能な構造にしたもので、肛門の下に差込袋Ｃの中に落とし込む。【選択図】図１
0003104199.tif 000002
【実用新案登録請求の範囲】
【請求項１】
本体（Ａ）と中枠（Ｂ）で構成され、本体と中枠で袋（Ｃ）を脱着自在に峡み、糞等が出てきたときに袋内（Ｄ）に受け取り、簡単に処理の出来る事を特徴とした糞処理用品
【考案の詳細な説明】
【０００１】  本孝案は、犬やペットの糞捕り用品に関し、詳しく述べます。
犬やペットの散歩中や運動訓練中に排便をもようした時、糞の処理を簡単に且つその場で処理の出来るものを提供せんとする物です
【背景技術】
【０００２】  従来の考案例として（実用新案登録番号）第３０８５３１４が、既存しておりますが、製品のコストが高くつき、より安価に且つ手軽に出来るように考案いたしました。
【考案の開示】
【課題を解決するための手段】
【０００３】  本考案は、簡単な合成樹脂で形成製作した本体（Ａ）と、同じ材質で製作した中枠（Ｂ）に、袋状の袋（Ｃ）を本体（Ａ）の内側にはめ込んだ中枠（Ｂ）の隙間（Ｅ）に挟み込み、案易に脱着可能な構造にしたものです。
【実施例】  本体（Ａ）の取っ手（Ｆ）の部分を手に持ち、犬等の小動物がしゃがんだ時（排便時）に、肛門の下に差込袋（Ｃ）の中に落とし込みます。散歩や訓練の後、処理する時は袋のみをはずして結束して棄てます。
【図１】
0003104199.tif 000003
【図２】
0003104199.tif 000004
【図３】
0003104199.tif 000005
【手続補正書】
【提出日】平成16年4月11日(2004.4.11)
【手続補正１】
【補正対象書類名】明細書
【補正対象項目名】全文
【補正方法】変更
【補正の内容】
【考案の詳細な説明】
【技術分野】
【０００１】  本孝案は、犬やペットの糞捕り用品に関し、詳しく述べます。
犬やペットの散歩中や運動訓練中に排便をもようした時、糞の処理を簡単に且つその場で処理の出来るものを提供せんとする物です
【背景技術】
【０００２】  従来の考案例として（実用新案登録番号）第３０８５３１４が、既存しておりますが、製品のコストが高くつき、より安価に且つ手軽に出来るように考案いたしました。
【考案の開示】
【考案の効果】
【０００３】  本考案は、簡単な合成樹脂で形成製作した本体（Ａ）と、同じ材質で製作した中枠（Ｂ）に、収納袋（Ｃ）を本体（Ａ）の内側にはめ込んだ中枠（Ｂ）の隙間（Ｅ）に挟み込み、案易に脱着可能な構造にしたものです。
【実施例】
【０００４】  本体（Ａ）の握り手（Ｆ）の部分を手に持ち、犬等の小動物がしゃがんだ時（排便時）に、肛門の下に差込、収納袋（Ｃ）の中に落とし込みます。散歩や訓練の後、処理する時は、収納袋のみをはずして結束して棄てます。
【図面の簡単な説明】
【０００５】
【図１】    平面図
【図２】    立体図
【図３】    組み立て説明図
【符号の説明】
【０００６】    Ａ：本体（合成樹脂で成型製作したもの）
Ｂ：中枠（合成樹脂で成型製作したもの）
Ｃ：収納袋（ビニール又は紙製袋）
Ｄ：収納袋の糞のたまる場所
Ｆ：握り手  本体（Ａ）の一部分
Ｅ：本体（Ａ）と中枠（Ｂ）のはめ込んだ時の隙間
イ：本体（Ａ）に中枠（Ｂ）をはめ込んで隙間（Ｅ）に収納袋（Ｃ）を挟む直前
ロ：本体（Ａ）に中枠（Ｂ）をはめ込んで隙間（Ｅ）に収納袋（Ｃ）を挟んだ状態
(57)【要約】      （修正有）【課題】活魚を容器に出し入れ可能にし、水や海水の入れ替えを容易にしなおかつ、入れた活魚が容器から飛び出さないようにした、活魚用容器の蓋を提供する。【解決手段】網の先端４に穴５が設けてある網２に枠１を設け、この枠１を容器６の開口部外縁８に装着する。【効果】魚を弱らせる事無く、素早く容器に収納でき、魚の飛び出しを防ぎ、そして網目を通して容器内部の観察が出来、酸素供給や、水温管理のための水交換が的確、かつ容易に行え、また、網枠が軟質弾性体、網が弾性素材で出来ているので、装着も簡単に出来、各種容器への適応範囲も広い。【選択図】図１
0003104198.tif 000002
【実用新案登録請求の範囲】
【請求項１】
（イ）リング状の軟質弾性体の枠１を、弾性のある材質で編まれた漏斗状の網２の外周に設ける。
（ロ）漏斗状の網２の筒口３の先端４に活魚を出し入れする為の穴５を設ける。
（ハ）バケツや、樽等の活魚入れ容器６の開口部外縁８にこの枠１を装着する。
以上の如く構成された、活魚用容器の蓋。
【考案の詳細な説明】
【考案の詳細な説明】
【産業上の利用分野】
【０００１】  この考案は、活魚を容器に出し入れ可能にし、水や海水の入れ替えを容易にし、なおかつ、入れた活魚が容器から飛び出さないようにした、活魚用容器の蓋に関するものである。
【背景技術】
【０００２】  従来、游漁者が釣った魚や、漁業で漁獲した魚を一時的に生かしておくバケツや，樽の蓋の材質は、木や、プラスチック等で開口面全体を覆う形で出来ていた物を利用していた。港や、防波堤で行う游漁釣りでは、小アジやイワシ等の、群れで回遊して来る魚を釣る事が多く、群れが回遊してきた時にいかに効率良く釣るかで釣果が左右されるので、蓋をしないで、魚が飛び出さないように水量を少なくして釣る事が多く、その為酸素不足に陥りやすく、夏場などでは外気温や、太陽に熱せられて焼けて熱くなったコンクリートの輻射熱により、バケツ内の水温上昇が起こり易く成るため、頻繁に海水を取り替えなければ成らず、そのとき魚が飛び出すことが間々あった。又、飛び出しを防止する為に蓋をして置くと、バケツ内の魚の状況がわからず、魚を弱らせたり、死なせてしまう事も多々あった。
一方漁業においても、樽等で魚を生かしたまま一時保管する場合は、漁獲の度に蓋を取って漁獲物を入れねば成らず、漁獲物の処理スピードが落ちたり、新鮮な海水に入れ替える時に、漁獲物が飛び出したりして漁獲物を弱らせる原因と成った。又、時化などで揺れる船上では、風によって蓋が飛ばされたり、樽内の海水の動揺が激しく起こり、漁獲物を入れる時や、漁獲物の状況確認するために蓋を開けた時に、海水と共に漁獲物の飛び出しがあるため、海水の量を少なくして対処していたが、酸素不足に陥りやすく、漁獲物を弱らせないためにも、頻繁に海水の入れ替えを行わなければ成らず、この管理に多くの時間を必要とした。
【考案が解決しようとする課題】
【０００３】  したがって、游漁者は、魚が弱りそうに成ると、魚籠やスカリと呼ばれている魚を生かしておくためのかごや、網袋に移し変えて海中に沈めたり、魚をすくう為のタモ網と呼ばれている柄の付いた網をバケツに被せたりして、魚の飛び跳ねを防いだり、バケツに被せてあるタモ網の上から海水を注いで、海水の入れ替えを行ったりしていたが、移し変えの時に、魚が飛び出てしまったり、魚を入れる度毎にタモ網持ち上げねばならず、持ち上げた瞬間に魚が飛び出てしまったりしていた。漁業においては、樽の高さの中ほどに魚が逃げ出さない位の水位調整のための穴を水平方向に幾つも開けておき、蓋の一部に開けた穴からホースで海水を注ぎ込んで海水の入れ替えを行っていたが、漁獲物を入れる時や、樽内部の観察を行う時などは蓋を取らねばならず、特に，時化などで蓋が金具や、ロープ等で飛ばないように固定されていた時などは甚だ面倒であった。本考案は、こうした游漁者や、漁業者のなどの強い要望に答える為に、安価で便利な活魚用のバケツや樽の蓋を考案しようとするものである。
【課題を解決するための手段】
【０００４】  いま、その構成を説明すると、
（イ）弾性のある材質で編まれた漏斗型の網２の外周に軟質弾性の枠１を設ける。
（ロ）漏斗状の網２の筒口３の先端４に穴５を設ける。
（ハ）この軟質弾性体の枠１をバケツや樽等の容器６の開口部７の開口部外縁８に装着する。
以上のように装置する。
【作用】
【０００５】  次に本考案の作用を述べると、漏斗状の網２の上に落とされた活魚は、自然と網の筒口３へ導かれ、弾性のある穴５に落ち込んで行き、容器６の中に収容される。また、海水の入れ替えでは、網２の上から海水を注ぐだけで開口部７より海水が溢れ出し、入れ替えが行われる一方、活魚の飛び出しは網２によって防止され、容器６の内部の様子は網２の上から観察出来る。魚の取出しでは網２が弾性のある材質で編まれているので、バケツ等の比較的小型の容器用の網蓋では、金魚タモ等の小あじが１〜２匹すくえる程度の大きさのタモ網の出し入れが可能であり、樽等の比較的大型の容器用の網蓋では小型のタモ網の出し入れも可能である。
【実施例】
【０００６】  なお、網２の外周に設ける軟質弾性体の枠１は容器６開口部外縁８に装着するのに多少手間が掛かるが帯や、紐状の物で結んでもよく、その材質も伸縮性のない帯や、紐状の物でもよい。また、漏斗状の網２は円錐を逆さまにしたような網の筒口３がない物でも魚の飛び出し防止の効果が多少は少なくなるが、目的は達成でき、網の材質として、軟質弾性体のプラスチックでメッシュ状に成型された物でも同じ効果がある。
【発明の効果】
【０００７】  だから魚を弱らせる事無く、素早く容器に収納でき、魚の飛び出しを防ぎ、そして網目を通して容器内部の観察が出来、酸素供給や、水温管理のための水交換が的確、かつ容易に行え、また、網枠が軟質弾性体、網が弾性素材で出来ているので、装着も簡単に出来、各種容器への適応範囲も広い。
【図面の簡単な説明】
【図１】  本考案の斜視図
【図２】  本考案の断面図
【図３】  本考案の平面図
【図４】  本考案の使用斜視図
【図５】  本考案の他の実施例の斜視図
【符号の説明】
１は枠
２は網
３は網の筒口
４は網の先端
５は穴
６は容器
７は容器の開口部
８は開口部外縁
【図１】
0003104198.tif 000003
【図２】
0003104198.tif 000004
【図３】
0003104198.tif 000005
【図４】
0003104198.tif 000006
【図５】
0003104198.tif 000007